(57)【要約】【課題】確実にドライバＩＣの発熱による破損を防止する。【解決手段】ディスクプレイヤ１００のＤＳＰ３２は、ドライバＩＣ４２の温度を検出する温度検出部３２２と、予め設定された第１閾値温度ＴＳＨを格納する温度記憶部３２１と、温度検出部３２２によって検出された温度Ｔが、温度記憶部３２１に格納された第１閾値温度ＴＳＨ以上であるか否かを判定する判定部３２３と、判定部３２３によって第１閾値温度ＴＳＨ以上であると判定された場合に、ドライバＩＣ４２への電力の供給を遮断する遮断部３２４と、を備えている。【選択図】図２
2008176837.tif 000002
【特許請求の範囲】
【請求項１】
ドライバＩＣを備え、光ディスクに格納された情報を読み取る読取り機能、及び、光ディスクに情報を記録する書き込み機能の少なくとも一方を有する光ディスク装置であって、
熱電対を有し、該熱電対を介してドライバＩＣの温度を検出する温度検出手段と、
予め設定された第１閾値温度を格納する温度記憶手段と、
前記温度検出手段によって検出された温度が、前記温度記憶手段に格納された第１閾値温度以上であるか否かを判定する判定手段と、
トランジスタスイッチを備え、前記判定手段によって第１閾値温度以上であると判定された場合に、前記トランジスタスイッチを介して前記ドライバＩＣへの電力の供給を遮断する遮断手段と、
を備え、
前記ドライバＩＣは、該ドライバＩＣが予め設定された第２閾値温度以上である場合に出力を停止するサーマルシャットダウン機能を備え、
前記温度記憶手段は、前記第１閾値温度として、前記第２閾値温度以上の温度を格納することを特徴とする光ディスク装置。
【請求項２】
ドライバＩＣを備え、光ディスクに格納された情報を読み取る読取り機能、及び、光ディスクに情報を記録する書き込み機能の少なくとも一方を有する光ディスク装置であって、
前記ドライバＩＣの温度を検出する温度検出手段と、
予め設定された第１閾値温度を格納する温度記憶手段と、
前記温度検出手段によって検出された温度が、前記温度記憶手段に格納された第１閾値温度以上であるか否かを判定する判定手段と、
前記判定手段によって第１閾値温度以上であると判定された場合に、前記ドライバＩＣへの電力の供給を遮断する遮断手段と、
を備えることを特徴とする光ディスク装置。
【請求項３】
前記温度検出手段は、熱電対を備え、該熱電対を介して前記ドライバＩＣの温度を検出することを特徴とする請求項２に記載の光ディスク装置。
【請求項４】
前記ドライバＩＣは、該ドライバＩＣが予め設定された第２閾値温度以上である場合に出力を停止するサーマルシャットダウン機能を備え、
前記温度記憶手段は、前記第１閾値温度として、前記第２閾値温度以上の温度を格納することを特徴とする請求項２又は請求項３に記載の光ディスク装置。
【請求項５】
前記遮断手段は、トランジスタスイッチを備え、該トランジスタスイッチを介して前記ドライバＩＣへの電力の供給を遮断することを特徴とする請求項２〜請求項４のいずれかに記載の光ディスク装置。
【発明の詳細な説明】
【技術分野】
【０００１】
本発明は、ドライバＩＣを備え、光ディスクに格納された情報を読み取る読取り機能、及び、光ディスクに情報を記録する書き込み機能の少なくとも一方を有する光ディスク装置に関する。特に、ＣＤ（Ｃｏｍｐａｃｔ  Ｄｉｓｋ）又はＤＶＤ（Ｄｉｇｉｔａｌ  Ｖｅｒｓａｔｉｌｅ  Ｄｉｓｋ）に格納された情報を読み取るＣＤ（又はＤＶＤ）プレイヤ、ＣＤ又はＤＶＤに情報を記録するＣＤ（ＤＶＤ）レコーダに関する。
【背景技術】
【０００２】
近年光ディスク装置は高速化が進み、１２倍速ＣＬＶ（Ｃｏｎｓｔａｎｔ  Ｌｉｎｅａｒ  Ｖｅｌｏｃｉｔｙ：線速度一定方式）ドライブ、最大２４倍速ＣＡＶ（Ｃｏｎｓｔａｎｔ  Ａｎｇｕｌａｒ  Ｖｅｌｏｃｉｔｙ：角速度一定方式）ドライブ等が実用化されている。
【０００３】
このような高速化に伴い、ドライバＩＣが発熱した場合には、ドライバＩＣの破損等が発生するため、それを防止する手段として、ドライバＩＣが所定の温度（例えば、１５０℃）になった場合に、強制的にドライバＩＣの動作を停止するサーマルシャットダウン機能がドライバＩＣに配設されている（特許文献１参照）。
【特許文献１】特開２００１−１４７８１号公報
【発明の開示】
【発明が解決しようとする課題】
【０００４】
しかしながら、ドライバＩＣの発熱等に起因して、サーマルシャットダウン機能を実行する回路が破損した場合には、サーマルシャットダウン機能が動作しなくなるため、ドライバＩＣの破損が発生する場合がある。
【０００５】
上記の課題に鑑みて、本発明は、確実にドライバＩＣの発熱による破損を防止することの可能な光ディスク装置を提供することを目的としている。
【課題を解決するための手段】
【０００６】
上記目的を達成するために請求項１に記載の光ディスク装置は、ドライバＩＣを備え、光ディスクに格納された情報を読み取る読取り機能、及び、光ディスクに情報を記録する書き込み機能の少なくとも一方を有する光ディスク装置であって、熱電対を有し、該熱電対を介してドライバＩＣの温度を検出する温度検出手段と、予め設定された第１閾値温度を格納する温度記憶手段と、前記温度検出手段によって検出された温度が、前記温度記憶手段に格納された第１閾値温度以上であるか否かを判定する判定手段と、トランジスタスイッチを備え、前記判定手段によって第１閾値温度以上であると判定された場合に、前記トランジスタスイッチを介して前記ドライバＩＣへの電力の供給を遮断する遮断手段と、を備え、前記ドライバＩＣが、該ドライバＩＣが予め設定された第２閾値温度以上である場合に出力を停止するサーマルシャットダウン機能を備え、前記温度記憶手段が、前記第１閾値温度として、前記第２閾値温度以上の温度を格納することを特徴としている。
【０００７】
請求項２に記載の光ディスク装置は、ドライバＩＣを備え、光ディスクに格納された情報を読み取る読取り機能、及び、光ディスクに情報を記録する書き込み機能の少なくとも一方を有する光ディスク装置であって、前記ドライバＩＣの温度を検出する温度検出手段と、予め設定された第１閾値温度を格納する温度記憶手段と、前記温度検出手段によって検出された温度が、前記温度記憶手段に格納された第１閾値温度以上であるか否かを判定する判定手段と、前記判定手段によって第１閾値温度以上であると判定された場合に、前記ドライバＩＣへの電力の供給を遮断する遮断手段と、を備えることを特徴としている。
【０００８】
請求項３に記載の光ディスク装置は、請求項２に記載の光ディスク装置であって、前記温度検出手段が、熱電対を備え、該熱電対を介して前記ドライバＩＣの温度を検出することを特徴としている。
【０００９】
請求項４に記載の光ディスク装置は、請求項２又は請求項３に記載の光ディスク装置であって、前記ドライバＩＣが、該ドライバＩＣが予め設定された第２閾値温度以上である場合に出力を停止するサーマルシャットダウン機能を備え、前記温度記憶手段が、前記第１閾値温度として、前記第２閾値温度以上の温度を格納することを特徴としている。
【００１０】
請求項５に記載の光ディスク装置は、請求項２〜請求項４のいずれかに記載の光ディスク装置であって、前記遮断手段が、トランジスタスイッチを備え、該トランジスタスイッチを介して前記ドライバＩＣへの電力の供給を遮断すること特徴としている。
【発明の効果】
【００１１】
請求項１に記載の光ディスク装置によれば、温度記憶手段に予め設定された第１閾値温度が格納されており、ドライバＩＣの温度が検出され、検出された温度が、温度記憶手段に格納された第１閾値温度以上であるか否かが判定される。そして、第１閾値温度以上であると判定された場合に、ドライバＩＣへの電力の供給が遮断されるため、確実にドライバＩＣの発熱による破損を防止することができる。
【００１２】
すなわち、ドライバＩＣに配設されたサーマルシャットダウン機能を実行する回路が破損している場合であっても、検出されたドライバＩＣの温度が第１閾値温度以上であると判定された場合に、ドライバＩＣへの電力の供給が遮断されるため、第１閾値温度を適正な値（例えば、１６０℃）に設定することによって、確実にドライバＩＣの発熱による破損を防止することができるのである。
【００１３】
また、熱電対を介してドライバＩＣの温度が検出されるため、簡素な構成で正確な温度を検出することができる。
【００１４】
更に、ドライバＩＣが予め設定された第２閾値温度以上である場合に出力を停止するサーマルシャットダウン機能を備え、温度記憶手段に、第１閾値温度として、第２閾値温度以上の温度が格納されているため、更に確実にドライバＩＣの発熱による破損を防止することができる。
【００１５】
すなわち、サーマルシャットダウン機能が正常に動作する場合には、ドライバＩＣが予め設定された第２閾値温度以上である場合に、サーマルシャットダウン機能によってドライバＩＣの出力が停止され、サーマルシャットダウン機能が正常に動作しない場合には、ドライバＩＣが第２閾値温度以上の温度に設定された第１閾値温度以上である場合に、ドライバＩＣへの電力の供給が遮断されるため、更に確実にドライバＩＣの発熱による破損を防止することができるのである。つまり、ドライバＩＣに備えているサーマルシャットダウン機能を有効に活用して、ドライバＩＣの発熱による破損を防止することができるのである。
【００１６】
加えて、トランジスタスイッチを介してドライバＩＣへの電力の供給が遮断されるため、簡素な構成でドライバＩＣへの電力の供給を遮断することができる。
【００１７】
請求項２に記載の光ディスク装置によれば、温度記憶手段に予め設定された第１閾値温度が格納されており、ドライバＩＣの温度が検出され、検出された温度が、温度記憶手段に格納された第１閾値温度以上であるか否かが判定される。そして、第１閾値温度以上であると判定された場合に、ドライバＩＣへの電力の供給が遮断されるため、確実にドライバＩＣの発熱による破損を防止することができる。
【００１８】
すなわち、ドライバＩＣに配設されたサーマルシャットダウン機能を実行する回路が破損している場合であっても、検出されたドライバＩＣの温度が第１閾値温度以上であると判定された場合に、ドライバＩＣへの電力の供給が遮断されるため、第１閾値温度を適正な値（例えば、１６０℃）に設定することによって、確実にドライバＩＣの発熱による破損を防止することができるのである。
【００１９】
請求項３に記載の光ディスク装置によれば、熱電対を介してドライバＩＣの温度が検出されるため、簡素な構成で正確な温度を検出することができる。
【００２０】
請求項４に記載の光ディスク装置によれば、ドライバＩＣが予め設定された第２閾値温度以上である場合に出力を停止するサーマルシャットダウン機能を備え、温度記憶手段に、第１閾値温度として、第２閾値温度以上の温度が格納されているため、更に確実にドライバＩＣの発熱による破損を防止することができる。
【００２１】
すなわち、サーマルシャットダウン機能が正常に動作する場合には、ドライバＩＣが予め設定された第２閾値温度以上である場合に、サーマルシャットダウン機能によってドライバＩＣの出力が停止され、サーマルシャットダウン機能が正常に動作しない場合には、ドライバＩＣが第２閾値温度以上の温度に設定された第１閾値温度以上である場合に、ドライバＩＣへの電力の供給が遮断されるため、更に確実にドライバＩＣの発熱による破損を防止することができるのである。つまり、ドライバＩＣに備えているサーマルシャットダウン機能を有効に活用して、ドライバＩＣの発熱による破損を防止することができるのである。
【００２２】
請求項５に記載の光ディスク装置によれば、トランジスタスイッチを介してドライバＩＣへの電力の供給が遮断されるため、簡素な構成でドライバＩＣへの電力の供給を遮断することができる。
【発明を実施するための最良の形態】
【００２３】
以下に本発明の実施形態を、図面を参照しながら説明する。図１は、本発明に係るディスクプレイヤの一例を示す構成図である。ディスクプレイヤ１００（光ディスク装置に相当する）は、本発明に係るピックアップ装置１、出力装置３、制御装置４、駆動装置５、表示部６及び操作部７を備えている。
【００２４】
ピックアップ装置１は、ＣＤ用ＬＤ（Ｌａｓｅｒ  Ｄｉｏｄｅ）及びＤＶＤ用ＬＤを備え、再生する対象の光ディスク２（ＣＤ又はＤＶＤ）からの反射光を電気信号に変換し、光ディスク２（ＣＤ、又は、ＤＶＤ）に格納された音声情報、画像情報等の各種情報の読み取りを行うものである。ＣＤ用ＬＤは、ＣＤに格納された情報を読み取るレーザ光を照射するものである。ＤＶＤ用ＬＤは、ＤＶＤに格納された情報を読み取るレーザ光を照射するものである。
【００２５】
また、ピックアップ装置１は、送りモータ５１によって、光ディスク２の径方向、及び、垂直方向（近接、離間方向）に移動可能に構成されている。
【００２６】
出力装置３は、ピックアップ装置１からの音声情報、画像情報等の情報を、音声及び画像に変換して、それぞれ、図略のスピーカ及びモニタに出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。
【００２７】
ＲＦアンプ３１は、ピックアップ装置１からの音声情報、画像情報等に対応する信号を増幅するものである。
【００２８】
ＤＳＰ３２及び再生処理回路３３は、ＲＦアンプ３１からの信号に対して、再生のための各種情報処理（例えば画像処理等）を施すものである。出力回路３４は、再生処理回路３３からの情報を、図略のスピーカ及びモニタに出力するためにＤＡ変換処理等を行うものである。
【００２９】
制御装置４は、操作部７を介して受け付けた指示操作に基づいて、ピックアップ装置１及び駆動装置５の動作を制御するものであって、システムコントローラ４１、及びドライバＩＣ４２を備えている。システムコントローラ４１は、操作部７からの情報を受け付けてＤＳＰ３２に伝送すると共に、ＤＳＰ３２からの情報を表示部６に伝送するものである。
【００３０】
ドライバＩＣ４２は、ＤＳＰ３２からの指示に基づいて、ピックアップ装置１及び駆動装置５の動作を制御するものである。具体的には、ドライバＩＣ４２は、ピックアップ装置１に配設されたＣＤ用ＬＤ及びＤＶＤ用ＬＤの動作を制御すると共に、駆動装置５を構成する送りモータ５１及びスピンドルモータ５２の動作を制御するものである。
【００３１】
駆動装置５は、送りモータ５１及びスピンドルモータ５２を備える。送りモータ５１は、ドライバＩＣ４２からの指示に基づいてピックアップ装置１を光ディスク２の径方向及び垂直方向に移動させるものである。スピンドルモータ５２は、ドライバＩＣ４２からの指示に基づいて光ディスク２を回転駆動するものである。
【００３２】
表示部６は、ＬＣＤ（Ｌｉｑｕｉｄ  Ｃｒｙｓｔａｌ  Ｄｉｓｐｌａｙ）等を備え、ＤＳＰ３２からの情報を外部から視認可能に表示するものである。操作部７は、種々の操作ボタン等を備え、ユーザからの操作を受け付けて、ＤＳＰ３２に対応する操作信号を出力するものである。
【００３３】
図２は、本発明に係るディスクプレイヤ１００における主要部の構成の一例を示す機能構成図である。ＤＳＰ３２は、ＲＡＭ（Ｒａｎｄｏｍ  Ａｃｃｅｓｓ  Ｍｅｍｏｒｙ）、ＭＰＵ（Ｍｉｃｒｏ  Ｐｒｏｃｅｓｓｉｎｇ  Ｕｎｉｔ）、及び、ＲＯＭ（Ｒｅａｄ  Ｏｎｌｙ  Ｍｅｍｏｒｙ：図示省略）を備えている。ＲＡＭは、機能的に、温度記憶部３２１を備え、ＭＰＵは、機能的に、温度検出部３２２、判定部３２３、及び、遮断部３２４を備えている。
【００３４】
ここでは、ＭＰＵが、ＲＯＭ等に予め格納されたプログラムを読み出して実行することにより、温度検出部３２２、判定部３２３、遮断部３２４等の機能部として機能すると共に、ＲＡＭを、温度記憶部３２１等の機能部として機能させるものである。
【００３５】
また、ＲＡＭ又はＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３６】
更に、ドライバＩＣ４２は、サーマルシャットダウン回路４２２を備え、適所に熱電対４２１が接続されている。また、ドライバＩＣ４２には、トランジスタスイッチ回路４２３を介して電力が供給されている。サーマルシャットダウン回路４２２は、ドライバＩＣ４２が予め設定された第２閾値温度（例えば、１５０℃）以上である場合に出力を停止するサーマルシャットダウン機能を実行する回路である。
【００３７】
熱電対４２１（温度検出手段の一部に相当する）は、ドライバＩＣ４２の温度を検出するものであって、検出された温度信号は図略のＡ／Ｄ変換器を介してＭＰＵ（温度検出部３２２）に入力される。トランジスタスイッチ回路４２３（遮断手段の一部に相当する）は、図略のＤ／Ａ変換器を介してＭＰＵ（遮断部３２４）からの指示を受け付けて、ドライバＩＣ４２への電力の供給を遮断するものである。
【００３８】
温度記憶部３２１（温度記憶手段に相当する）は、予め設定され、サーマルシャットダウン回路４２２に設定された第２閾値温度（ここでは、１５０℃）以上の温度である第１閾値温度ＴＳＨ（例えば、１６０℃）を格納するものである。温度記憶部３２１に格納された第１閾値温度ＴＳＨは、判定部３２３によって読み出され、ドライバＩＣ４２への電力の供給を遮断するか否かの判定に用いられるものである。
【００３９】
温度検出部３２２（温度検出手段の一部に相当する）は、熱電対４２１及び図略のＡ／Ｄ変換器を介してドライバＩＣ４２の温度Ｔを検出するものである。
【００４０】
判定部３２３（判定手段に相当する）は、温度検出部３２２によって検出された温度Ｔが、温度記憶部３２１に格納された第１閾値温度ＴＳＨ（ここでは、１６０℃）以上であるか否かを判定するものである。
【００４１】
遮断部３２４（遮断手段の一部に相当する）は、判定部３２３によって温度検出部３２２により検出された温度Ｔが、第１閾値温度ＴＳＨ（ここでは、１６０℃）以上であると判定された場合に、トランジスタスイッチ回路４２３及び図略のＤ／Ａ変換器を介してドライバＩＣ４２への電力の供給を遮断するものである。
【００４２】
図３は、本発明に係るディスクプレイヤ１００（主にＤＳＰ３２）の動作の一例を示すフローチャートである。まず、温度検出部３２２によって、ドライバＩＣ４２の温度Ｔが検出されたか否かが判定される（Ｓ１０１）。温度Ｔが検出されていないと判定された場合（Ｓ１０１でＮＯ）には、処理がステップＳ１０１に戻され、ステップＳ１０１以降の処理が繰り返し実行される。温度Ｔが検出されたと判定された場合（Ｓ１０１でＹＥＳ）には、判定部３２３によって、温度記憶部３２１に格納された第１閾値温度ＴＳＨが読み出される（Ｓ１０３）。そして、判定部３２３によって、温度Ｔが第１閾値温度ＴＳＨ以上であるか否かの判定が行われる（Ｓ１０５）。温度Ｔが第１閾値温度ＴＳＨ以上ではない（＝温度Ｔが第１閾値温度ＴＳＨ未満である）と判定された場合（Ｓ１０５でＮＯ）には、処理がステップＳ１０１に戻され、ステップＳ１０１以降の処理が繰り返し実行される。温度Ｔが第１閾値温度ＴＳＨ以上であると判定された場合（Ｓ１０５でＹＥＳ）には、遮断部３２４によって、ドライバＩＣ４２への電力の供給が遮断され（Ｓ１０７）、処理が終了される。
【００４３】
このようにして、温度記憶部３２１に予め設定された第１閾値温度ＴＳＨ（ここでは、１６０℃）が格納されており、ドライバＩＣ４２の温度Ｔが検出され、検出された温度Ｔが、温度記憶部３２１に格納された第１閾値温度ＴＳＨ以上であるか否かが判定される。そして、第１閾値温度ＴＳＨ以上であると判定された場合に、ドライバＩＣ４２への電力の供給が遮断されるため、確実にドライバＩＣ４２の発熱による破損を防止することができる。
【００４４】
すなわち、ドライバＩＣ４２に配設されたサーマルシャットダウン機能を実行する回路（＝サーマルシャットダウン回路４２２）が破損している場合であっても、検出されたドライバＩＣ４２の温度Ｔが第１閾値温度ＴＳＨ以上であると判定された場合に、ドライバＩＣ４２への電力の供給が遮断されるため、第１閾値温度ＴＳＨを適正な値（ここでは、１６０℃）に設定することによって、確実にドライバＩＣ４２の発熱による破損を防止することができるのである。
【００４５】
また、熱電対４２１を介してドライバＩＣ４２の温度Ｔが検出されるため、簡素な構成で正確な温度Ｔを検出することができる。
【００４６】
更に、ドライバＩＣ４２が予め設定された第２閾値温度（ここでは、１５０℃）以上である場合に出力を停止するサーマルシャットダウン機能を備え、温度記憶部３２１に、第１閾値温度ＴＳＨとして、第２閾値温度以上の温度（ここでは、１６０℃）が格納されているため、更に確実にドライバＩＣ４２の発熱による破損を防止することができる。
【００４７】
すなわち、サーマルシャットダウン機能が正常に動作する場合には、ドライバＩＣ４２が予め設定された第２閾値温度（ここでは、１５０℃）以上である場合に、サーマルシャットダウン機能によってドライバＩＣ４２の出力が停止され、サーマルシャットダウン機能が正常に動作しない場合には、ドライバＩＣ４２が第２閾値温度（ここでは、１５０℃）以上の温度に設定された第１閾値温度（ここでは、１６０℃）以上である場合に、ドライバＩＣ４２への電力の供給が遮断されるため、更に確実にドライバＩＣ４２の発熱による破損を防止することができるのである。つまり、ドライバＩＣ４２に備えているサーマルシャットダウン機能を有効に活用して、ドライバＩＣ４２の発熱による破損を防止することができるのである。
【００４８】
加えて、トランジスタスイッチ回路４２３を介してドライバＩＣ４２への電力の供給が遮断されるため、簡素な構成でドライバＩＣ４２への電力の供給を遮断することができる。
【００４９】
なお、本発明は、以下の形態にも適用可能である。
（Ａ）本実施形態では、光ディスク装置が、ディスクプレイヤ１００である場合について説明したが、光ディスク装置が、ドライバＩＣを備え、光ディスクに格納された情報を読み取る読取り機能、及び、光ディスクに情報を記録する書き込み機能の少なくとも一方を有する装置であればよい。例えば、光ディスク装置が、ＣＤに格納された情報を読み取るＣＤプレイヤ、ＣＤ又はＤＶＤに情報を記録するＣＤ（ＤＶＤ）レコーダである形態でもよい。
【００５０】
（Ｂ）本実施形態では、ＤＳＰ３２が温度記憶部３２１、温度検出部３２２、判定部３２３、及び、遮断部３２４として機能する場合について説明したが、少なくとも１の機能部が回路によって実現されている形態でもよい。
【００５１】
（Ｃ）本実施形態では、温度検出部３２２が熱電対４２１を介してドライバＩＣ４２の温度Ｔを検出する場合について説明したが、温度検出部３２２がその他のセンサ（例えば、サーミスタ等）を介してドライバＩＣ４２の温度Ｔを検出する形態でもよい。
【００５２】
（Ｄ）本実施形態では、遮断部３２４がトランジスタスイッチ回路４２３を介してドライバＩＣ４２への電力の供給を遮断する場合について説明したが、遮断部３２４がその他の種類のスイッチ（例えば、接点スイッチ等）を介してドライバＩＣ４２への電力の供給を遮断する形態でもよい。
【００５３】
（Ｅ）本実施形態では、温度記憶部３２１が予め第１閾値温度ＴＳＨを格納している場合について説明したが、操作部７を介して第１閾値温度ＴＳＨを受け付けて温度記憶部３２１に格納する形態でもよい。この場合には、利便性を向上することができる。
【図面の簡単な説明】
【００５４】
【図１】は、本発明に係るディスクプレイヤの一例を示す構成図である。
【図２】は、本発明に係るディスクプレイヤにおける主要部の構成の一例を示す機能構成図である。
【図３】は、本発明に係るディスクプレイヤ（主にＤＳＰ）の動作の一例を示すフローチャートである。
【符号の説明】
【００５５】
１００    ディスクプレイヤ（光ディスク装置）
１    ピックアップ装置
３    出力装置
３２    ＤＳＰ
３２１    温度記憶部（温度記憶手段）
３２２    温度検出部（温度検出手段の一部）
３２３    判定部（判定手段）
３２４    遮断部（遮断手段の一部）
４    制御装置
４２    ドライバＩＣ
４２１    熱電対（温度検出手段の一部）
４２２    サーマルシャットダウン回路
４２３    トランジスタスイッチ回路（遮断手段の一部）
５    駆動装置
５１    送りモータ
５２    スピンドルモータ
【図１】
2008176837.tif 000003
【図２】
2008176837.tif 000004
【図３】
2008176837.tif 000005